(57)【要約】【課題】経年劣化を生じにくく、且つ設計の自由度の高い回転ダイヤル部を備えた携帯電子機器を提供すること。【解決手段】携帯電子機器１は、第１筐体２と、第１筐体２に対して回転可能に構成され、複数のアプリケーションに対応してそれぞれ異なる光透過率を有する複数の光透過部４１１が回転方向に配列されて設けられた第１回転ダイヤル部４０Ａと、第１回転ダイヤル部４０Ａの内部に配置される発光部４２と、発光部４２から発光され複数の光透過部４１１のうちいずれかの光透過部４１１を透過した光を受光する第１受光部５１Ａと、第１受光部５１Ａが受光した光量を検出する検出部７１と、検出部７１が検出した光量に応じて、複数のアプリケーションから実行するアプリケーションを選択する選択部７２と、選択部７２が選択したアプリケーションを実行する制御部７３と、を備える。【選択図】図５
2010035121.tif 000002
【特許請求の範囲】
【請求項１】
第１筐体と、
前記第１筐体に対して回転可能に構成され、複数のアプリケーションに対応してそれぞれ異なる光透過率を有する複数の光透過部が回転方向に配列されて設けられた第１回転ダイヤル部を有する回転ダイヤル部と、
前記第１回転ダイヤル部の内部に配置される発光部と、
前記発光部から照射され前記複数の光透過部のうちいずれかの光透過部を透過した光を受光する第１受光部と、
前記第１受光部が受光した光量を検出する検出部と、
前記検出部が検出した光量に応じて、前記複数のアプリケーションから実行するアプリケーションを選択する選択部と、
前記選択部が選択したアプリケーションを実行する制御部と、を備える携帯電子機器。
【請求項２】
前記第１回転ダイヤル部は、前記複数のアプリケーションのうちいずれのアプリケーションが選択されているかを、前記発光部からの光を利用して表示する表示部を備えている請求項１に記載の携帯電子機器。
【請求項３】
前記第１筐体に連結される第２筐体と、該第１筐体と該第２筐体とを回動可能に連結する連結部と、を更に備え、
前記第１回転ダイヤル部は、前記連結部に取り付けられている請求項１又は請求項２に記載の携帯電子機器。
【請求項４】
前記複数の光透過部の光透過率は、それぞれ段階的に異なる請求項３に記載の携帯電子機器。
【請求項５】
第１筐体と、
前記第１筐体に対して回転可能に構成され、それぞれ異なる光透過率を有する複数の光透過部が回転方向に配列された第１回転ダイヤル部と、該第１回転ダイヤル部に連設され回転方向の全周に亘って略均一の光透過率を有する光透過領域が設けられた第２回転ダイヤル部と、を有する回転ダイヤル部と、
前記第１回転ダイヤル部及び前記第２回転ダイヤル部の内部に光を照射可能に配置される発光部と、
前記発光部から照射され前記複数の光透過部のうちいずれかの光透過部を透過した光を受光する第１受光部と、
前記発光部から照射され前記光透過領域を透過した光を受光する第２受光部と、
前記第１受光部及び前記第２受光部が受光した光量を検出すると共に、前記第１受光部が受光した光量と前記第２受光部が受光した光量との光量差を検出する検出部と、
前記検出部により検出された前記光量差に応じて、複数のアプリケーションのうち実行するアプリケーションを選択する選択部と、
前記選択部により選択されたアプリケーションを実行する制御部と、を備える携帯電子機器。
【請求項６】
前記第１受光部が受光した最大光量と前記第２受光部が受光した光量との光量差である最大光量差と、前記第１受光部が受光した最小光量と前記第２受光部が受光した光量との光量差である最小光量差と、に基づいて前記複数のアプリケーションそれぞれに対応する光量差の値を調整する調整部を更に備える請求項５に記載の携帯電子機器。
【請求項７】
前記回転ダイヤル部は、前記複数のアプリケーションのうちいずれのアプリケーションが選択されているかを、前記発光部からの光を利用して表示する表示部を備えている請求項６に記載の携帯電子機器。
【請求項８】
前記第１筐体に連結される第２筐体と、該第１筐体と該第２筐体とを回動可能に連結する連結部と、を更に備え、
前記回転ダイヤル部は、前記連結部に取り付けられている請求項６又は請求項７に記載の携帯電子機器。
【請求項９】
前記複数の光透過部の光透過率は、それぞれ段階的に異なる請求項８に記載の携帯電子機器。
【発明の詳細な説明】
【技術分野】
【０００１】
本発明は、携帯電子機器に関する。詳しくは、回転ダイヤル部を有する携帯電子機器に関する。
【背景技術】
【０００２】
従来、携帯電話機等の携帯電子機器において、筐体の側面部やヒンジ部に回転ダイヤル部を設け、この回転ダイヤル部を回転させることによりメニュー画面に表示された選択可能な機能を切り替え可能としているものが提案されている（例えば、特許文献１参照）。
以上の携帯電話機によれば、回転ダイヤル部の回転にあわせて機能の選択候補が切り替わり、所望の機能がメニュー画面に選択候補として表示されたときに、決定キーを押すことで、機能を選択できる。
【０００３】
ところで、回転ダイヤル部の回転量を検出する検出機構としては、回転ダイヤル部の側面に所定間隔を空けて設けられた複数の突起部と、筐体に設けられたカウント部とを備え、このカウント部が回転ダイヤル部の回転に伴い回転する複数の突起部に接触することで回転ダイヤル部の回転量を検出する検出機構が提案されている。
また、回転ダイヤル部の回転量を永久磁石と磁気検出回路とを用いて検出する検出機構も提案されている。
【特許文献１】特開２００２−１３４２９１号公報
【発明の開示】
【発明が解決しようとする課題】
【０００４】
しかしながら、上述の突起部とカウント部とにより回転ダイヤル部の回転量を検出する手法では、突起部とカウント部との接触により回転量を検出するため、突起部及びカウント部の経年劣化が生じやすいという問題があった。
また、永久磁石と磁気検出回路とを用いて回転ダイヤル部の回転量を検出する手法では、磁気検出回路が正確に磁気を検出できるように、永久磁石と磁気検出回路とを近接して配置する必要があり、回転ダイヤル部の設計の自由度が低いという問題があった。
【０００５】
従って、本発明は、経年劣化を生じにくく、且つ設計の自由度の高い回転ダイヤル部を備えた携帯電子機器を提供することを目的とする。
【課題を解決するための手段】
【０００６】
本発明は、第１筐体と、前記第１筐体に対して回転可能に構成され、複数のアプリケーションに対応してそれぞれ異なる光透過率を有する複数の光透過部が回転方向に配列されて設けられた第１回転ダイヤル部を有する回転ダイヤル部と、前記第１回転ダイヤル部の内部に配置される発光部と、前記発光部から発光され前記複数の光透過部のうちいずれかの光透過部を透過した光を受光する受光部と、前記受光部が受光した光量を検出する検出部と、前記検出部が検出した光量に応じて、前記複数のアプリケーションから実行するアプリケーションを選択する選択部と、前記選択部が選択したアプリケーションを実行する制御部と、を備える携帯電子機器に関する。
【０００７】
また、前記第１回転ダイヤル部は、前記複数のアプリケーションのうちいずれのアプリケーションが選択されているかを、前記発光部からの光を利用して表示する表示部を備えていることが好ましい。
【０００８】
また、前記第１筐体に連結される第２筐体と、該第１筐体と該第２筐体とを回動可能に連結する連結部と、を更に備え、前記第１回転ダイヤル部は、前記連結部を介して前記第１筐体に取り付けられていることが好ましい。
【０００９】
また、前記複数の光透過部の光透過率は、それぞれ段階的に異なることが好ましい。
【００１０】
本発明は、第１筺体と、前記第１筺体に対して回転可能に構成され、それぞれ異なる光透過率を有する複数の光透過部が回転方向に配列された第１回転ダイヤル部と、該第１回転ダイヤル部に連設され、回転方向の全周に亘って略均一の光透過率を有する光透過領域が設けられた第２回転ダイヤル部と、を有する回転ダイヤル部と、前記第１回転ダイヤル部及び前記第２回転ダイヤル部の内部に光を照射可能に配置される発光部と、前記発光部から照射され前記複数の光透過部のうちいずれかの光透過部を透過した光を受光する第１受光部と、前記発光部から照射され前記光透過領域を透過した光を受光する第２受光部と、前記第１受光部及び前記第２受光部が受光した光量を検出すると共に、前記第１受光部が受光した光量と前記第２受光部が受光した光量との光量差を検出する検出部と、前記検出部により検出された前記光量差に応じて、複数のアプリケーションのうち実行するアプリケーションを選択する選択部と、前記選択部により選択されたアプリケーションを実行する制御部と、を備える携帯電子機器に関する。
【００１１】
また、前記第１受光部が受光した最大光量と前記第２受光部が受光した光量との光量差である最大光量差と、前記第１受光部が受光した最小光量と前記第２受光部が受光した光量との光量差である最小光量差と、に基づいて前記複数のアプリケーションそれぞれに対応する光量差の値を調整する調整部を更に備えることが好ましい。
【発明の効果】
【００１２】
本発明によれば、経年劣化を生じにくく、且つ設計の自由度の高い回転ダイヤル部を備えた携帯電子機器を提供できる。
【発明を実施するための最良の形態】
【００１３】
以下、本発明の好ましい各実施形態について図面を参照しながら説明する。
先ず、本発明の第１実施形態に係る携帯電子機器としての携帯電話機１について、図１〜図６を参照しながら説明する。
図１は、本発明の携帯電子機器の好ましい一実施形態である携帯電話機１の開状態を示す外観図である。図２は、閉状態の携帯電話機１を表示部側筐体３側から見た外観図である。図３は、閉状態の携帯電話機１を操作部側筐体２側から見た外観図である。図４は、回転ダイヤル部４０付近を示す拡大図である。図５は、図１のＩＩ−ＩＩ線断面を模式的に示した図である。図６は、第１回転ダイヤル部４０Ａの機能を示す図である。
【００１４】
図１に示すように、携帯電話機１は、第１筐体としての操作部側筐体２と、第２筐体としての表示部側筐体３と、操作部側筐体２と表示部側筐体３とを連結する連結部４と、を備えて構成される。操作部側筐体２の上端部と表示部側筐体３の下端部とは、連結部４に配置されるヒンジ機構４Ａを介して連結される。
【００１５】
携帯電話機１は、ヒンジ機構４Ａを介して連結された操作部側筐体２と表示部側筐体３とを、ヒンジ機構４Ａの軸を回転軸Ｚとして相対的に回転することにより、操作部側筐体２と表示部側筐体３とを互いに開いた状態（開放状態）にしたり、操作部側筐体２と表示部側筐体３とを折り畳んだ状態（折畳み状態）にしたりできる。
また、携帯電話機１は、ヒンジ機構４Ａの軸と同軸に設定された回転軸Ｚを中心に回転可能に構成された回転ダイヤル部４０を備える。
第１実施形態では、回転ダイヤル部４０は、複数の光透過部４１１を有する第１回転ダイヤル部４０Ａを備える。この第１回転ダイヤル部４０Ａについては、後に詳述する。
【００１６】
図１に示すように、操作部側筐体２の前面１０Ａには、携帯電話機１の閉状態においては隠れる操作部１１と、使用者が通話時に発した音声が入力されるマイク１２とが配置される。前面１０Ａは、携帯電話機１を折り畳んだ状態で表示部側筐体３と向かい合う面である。
図３に示すように、操作部側筐体２の背面１０Ｂには、被写体を撮像するＣＣＤ（Ｃｈａｒｇｅ  Ｃｏｕｐｌｅｄ  Ｄｅｖｉｃｅ）カメラ等により構成される撮像部１７と、ライト１８とが形成される。背面１０Ｂは、前面１０Ａとは反対側の面である。
【００１７】
操作部１１は、各種設定や電話帳機能やメール機能等の各種機能（アプリケーション）を動作させるためのキー、オフフックキー、オンフックキーを含む機能設定操作ボタン１３と、電話番号の数字やメール等の文字等を入力するための入力操作ボタン１４と、各種操作における決定やスクロール等を行う決定操作ボタン１５と、ボリュームコントロール等を行うコントロールボタン１６と、から構成される。
【００１８】
操作部側筐体２には、キー構造部と、キー基板と、ケース体と、後述する第１回転ダイヤル部４０Ａにおける発光部４２から出力（照射）された光を受光する第１受光部５１Ａ（図５参照）、この第１受光部５１Ａが受光した光量を検出する検出部７１及び携帯電話機用のＲＦ（Ｒａｄｉｏ  Ｆｒｅｑｕｅｎｃｙ）モジュール等の各種電子部品を備える回路基板５２（図５参照）と、アンテナ部と、充電池８０と、が収容される。
また、図５に示すように、操作部側筐体２には、発光部４２から出力（照射）された光を透過させる窓部１９が設けられており、発光部４２から出力（照射）された光が第１受光部５１Ａに透過可能に構成されている。
【００１９】
図１に示すように、表示部側筐体３の前面２０Ａには、各種情報を表示するための表示部としてのディスプレイ２１と、通話の相手側の音声を出力する音声出力部２２と、が配置される。前面２０Ａは、携帯電話機１を折り畳んだ状態で操作部側筐体２と向かい合う面である。
ディスプレイ２１は、トップ画面として通信・通話待受画像を表示する。また、ディスプレイ２１は、所定の機能を動作させるためのアプリケーションに基づく画像を表示する。なお、ディスプレイ２１は、携帯電話機１の閉状態において隠れる位置に配置されている。
【００２０】
図２に示すように、表示部側筐体３の背面２０Ｂには、各種情報を表示するためのサブディスプレイ２３が配置される。背面２０Ｂは、前面２０Ａとは反対側の面である。つまり、サブディスプレイ２３は、携帯電話機１の閉状態であっても外部に露出する位置に配置されている。
サブディスプレイ２３にもディスプレイ２１と同様に、上述の各種機能を動作させるアプリケーションに基づく画像が表示されるが、ディスプレイ２１に比べて画面が小さいので、ディスプレイ２１に表示される画像の一部や、相似（小さくした）画像が表示される。また、サブディスプレイ２３には、各種機能のうち、携帯電話機１が閉状態の場合では起動されない機能を動作させるアプリケーションに基づく画像は表示されないように構成される。
【００２１】
ここで、ディスプレイ２１及びサブディスプレイ２３それぞれは、液晶パネルと、液晶パネルを駆動する駆動回路と、液晶パネルの背面側から光を照射するバックライト等の光源部とを有して構成される。
【００２２】
第１回転ダイヤル部４０Ａは、携帯電話機１が備える複数のアプリケーションの中から所定のアプリケーションを選択するための操作部材である。
図４に示すように、第１回転ダイヤル部４０Ａは、操作部側筐体２に対して回転可能に構成される。具体的には、第１回転ダイヤル部４０Ａは、連結部４における幅方向Ｘの外側に、ヒンジ機構４Ａの軸と同軸の回転軸Ｚを中心として、図４に示すａ方向及びｂ方向に回転可能に取り付けられる。
図１に示すように、第１回転ダイヤル部４０Ａは、携帯電話機１の開状態において、操作部１１及びディスプレイ２１を見ながら回転操作が可能に配置される。
【００２３】
図５に示すように、第１回転ダイヤル部４０Ａは、略円筒形状を有する第１回転ダイヤル部本体４１Ａと、この第１回転ダイヤル部本体４１Ａの内部に配置される発光部４２と、を備える。
第１回転ダイヤル部本体４１Ａには、それぞれ異なる光透過率を有する複数の光透過部４１１が回転方向に配列されて設けられている。
【００２４】
具体的には、第１回転ダイヤル部本体４１Ａは、光を透過可能な部材により構成されており、この第１回転ダイヤル部本体４１Ａの内部は空洞となっている。そして、図５に示すように、第１回転ダイヤル部本体４１Ａの側面部の厚さは、回転方向に沿って段階的に異なっている。これにより、それぞれ光透過率の異なる複数の光透過部４１１が形成されている。
複数の光透過部４１１は、第１光透過部４１１ａ、第２光透過部４１１ｂ、第３光透過部４１１ｃ、第４光透過部４１１ｄ、第５光透過部４１１ｅ、第６光透過部４１１ｆ、第７光透過部４１１ｇ及び第８光透過部４１１ｈから構成される。
【００２５】
即ち、第１回転ダイヤル部４０Ａの側面部の厚さの最も厚い部分に、光透過率の最も低い光透過部４１１である第１光透過部４１１ａが形成されており、側面部の厚さは、第１光透過部４１１ａから回転方向（図５中ａ方向）に向かうに従って段階的に薄くなるよう構成されている。これにより、第１光透過部４１１ａから回転方向ａに沿って順に第２光透過部４１１ｂ、第３光透過部４１１ｃ、第４光透過部４１１ｄ、第５光透過部４１１ｅ、第６光透過部４１１ｆ、第７光透過部４１１ｇ及び第８光透過部４１１ｈが形成されている。
これら複数の光透過部４１１の光透過率は、第１光透過部４１１ａから第８光透過部に向かうに従って段階的に高くなる。また、第８光透過部４１１ｈの回転方向ａ側に第１光透過部４１１ａが位置している。
【００２６】
発光部４２は、例えば、発光ダイオードにより構成され、第１回転ダイヤル部４０Ａの回転軸Ｚに沿うように配置され、一定の光量の光を出力（照射）する。発光部４２から出力された光は、発光部４２を中心として、第１回転ダイヤル部本体４１Ａの側面の全方向に向けて出力され、この光のうちの一部は、複数の光透過部４１１を透過して第１回転ダイヤル部本体４１Ａの外部に到達する。
【００２７】
また、上述したように、操作部側筐体２には、発光部４２から出力された光を受光する第１受光部５１Ａ及びこの第１受光部５１Ａが受光した光量を検出する検出部７１としての第１検出部７１Ａを備えた回路基板５２が収容されている。また、操作部側筐体２には、発光部４２から出力された光を透過させる窓部１９Ａが設けられている。
従って、発光部４２から出力された光は、複数の光透過部４１１のうちのいずれかの光透過部４１１及び窓部１９Ａを透過して第１受光部５１Ａに到達する。
窓部１９Ａの面積は、第１受光部５１Ａの面積よりも小さく構成されている。
【００２８】
ここで、第１回転ダイヤル部４０Ａを回転させると、この第１回転ダイヤル部４０Ａの回転に伴い、発光部４２と第１受光部５１Ａの間に位置する光透過部４１１は変化する。複数の光透過部４１１は、それぞれ異なる光透過率を有するので、発光部４２と第１受光部５１Ａとの間に位置する光透過部４１１が変化することによって、第１受光部５１Ａが受光する光量は段階的に変化する。
具体的には、発光部４２から出力される光量が一定の場合、発光部４２と第１受光部５１Ａとの間に第１光透過部４１１ａが位置するときに第１受光部５１Ａが受光する光量は最も小さくなり、発光部４２と第１受光部５１Ａとの間に第８光透過部４１１ｈが位置するときに第１受光部５１Ａが受光する光量は最も大きくなる。
後述の選択部７２は、この受光部５１が受光した光量を検出する第１検出部７１Ａの検出結果に基づいて、実行するアプリケーションを選択する。
【００２９】
第１回転ダイヤル部本体４１Ａの外側面には、回転方向に所定間隔を空けて複数のアプリケーションそれぞれに関連付けられた複数の指標（アイコン）Ｉが付された表示部４１２が設けられている。
具体的には、表示部４１２には、図６に示すように、標準位置としてのニュートラルを示す丸印のアイコンＩａ、カメラ機能を示すカメラのアイコンＩｂ、メール機能を示す手紙のアイコンＩｃ、カレンダー機能を示すカレンダーのアイコンＩｄ、ツール機能を示す工具のアイコンＩｅ、テレビ機能を示すテレビのアイコンＩｆ、メモ帳機能を示すペンのアイコンＩｇ、及びアドレス機能を示す手帳のアイコンＩｈが等間隔で表示される。
【００３０】
これら複数のアイコンＩは、それぞれ、第１回転ダイヤル部本体４１Ａにおいて複数の光透過部４１１が設けられている位置に対応して付されている。
具体的には、丸印のアイコンＩａは、第５光透過部４１１ｅが設けられている位置に付されている。カメラのアイコンＩｂは、第６光透過部４１１ｆが設けられている位置に付されている。手紙のアイコンＩｃは、第７光透過部４１１ｇが設けられている位置に付されている。カレンダーのアイコンＩｄは、第８光透過部４１１ｈが設けられている位置に付されている。工具のアイコンＩｅは、第１光透過部４１１ａが設けられている位置に付されている。テレビのアイコンＩｆは、第２光透過部４１１ｂが設けられている位置に付されている。ペンのアイコンＩｇは、第３光透過部４１１ｃが設けられている位置に付されている。手帳のアイコンＩｈは、第３光透過部４１１ｃが設けられている位置に付されている。
【００３１】
これら複数のアイコンＩが付された表示部４１２は、発光部４２から出力された光を利用して、複数のアプリケーションのうちいずれのアプリケーションが選択されているかを表示する。具体的には、表示部４１２は、発光部４２から出力された光の一部を、第１回転ダイヤル部本体４１Ａを透過させることで、選択されたアプリケーションに対応するアイコンＩの視認性を向上させている。
【００３２】
第１回転ダイヤル部４０Ａは、回転操作が加えられた第１回転ダイヤル部本体４１Ａの回転にともなって回転される。携帯電話機１の開状態における操作部１１及びディスプレイ２１側に表示されるアイコンＩは、第１回転ダイヤル部４０Ａの回転にともなって変更される。更には、連結部４の外面であって携帯電話機１の開状態において操作部１１及びディスプレイ２１側を向く位置に形成される目印４３と幅方向Ｘに並んだ位置である選択位置Ｓに配置されるアイコンＩは、第１回転ダイヤル部４０Ａの回転にともなって変更される。
【００３３】
ここで、第１回転ダイヤル部４０Ａの操作及び機能について説明する。第１回転ダイヤル部４０Ａは、図４に示すように、ユーザの指により回転方向（図４中のａ方向又はｂ方向）への力が加えられることで回転するように連結部４に取り付けられる。第１回転ダイヤル部４０Ａには、上述の通り、回転方向に所定の間隔を空けて光透過部４１１ごとにアイコンＩ（アイコンＩａからＩｈ）が付されている。アイコンＩは、図６に示すように、アプリケーションを選択する際にユーザにとって理解（イメージ）しやすい記号や絵によって描かれている。
【００３４】
ここで、ユーザによる第１回転ダイヤル部４０Ａの操作について簡略的に説明する。
ユーザは、アイコンＩを手掛かりとして、所望する機能（アプリケーション）に対応するアイコンＩを選択位置Ｓまで回転させる。携帯電話機１は、選択位置Ｓに位置しているアイコンＩに対応する機能を動作させるアプリケーションを起動させる。このようにして、回転ダイヤル部４０は、物理的な第１回転ダイヤル部４０Ａの操作により、各種の機能を発揮するメニュー選択を可能とする。
【００３５】
次に、携帯電話機１の機能的な構成について図７及び図８を参照しながら説明する。
図７は、携帯電話機１の機能を示す機能ブロック図である。図８は、処理部７０の機能ブロック図である。
携帯電話機１は、図７に示すように、所定の情報を表示するディスプレイ２１と、所定の情報を表示するサブディスプレイ２３と、ユーザの操作により回転される回転ダイヤル部４０（第１回転ダイヤル部４０Ａ）と、外部の端末と通信を行う通信部６０と、所定の処理を行う処理部７０と、所定容量を有する充電池８０と、充電池８０から供給される電源電圧を所定の電圧に変換し、変換後の電圧を通信部６０や処理部７０等に供給する電源回路部９０と、記憶部１００と、を備える。
【００３６】
通信部６０は、所定の使用周波数帯により外部装置と通信を行うメインアンテナ６１と、変調処理又は復調処理等の信号処理を行う通信処理部６２と、を備える。
【００３７】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であってもよい。また、メインアンテナ６１は、所定の使用周波数帯の他に、第２の使用周波数帯（例えば、２ＧＨｚ）に対応できる、いわゆるデュアルバンド対応型による構成であってもよいし、更に、第３の使用周波数帯以上にも対応できる複数バンド対応型により構成されていてもよい。
【００３８】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。
【００３９】
電源回路部９０は、充電池８０から供給される電源電圧を所定の電圧値に変圧し、変圧後の電源電圧を通信部６０や処理部７０等に供給する。
【００４０】
記憶部１００は、処理部７０にて実行される多数のプログラム及びパラメータや各種テーブル等が記憶される。具体的には、記憶部１００は、制御部７３にて起動、終了、中断等がなされる多数のアプリケーションプログラムや、これら複数のアプリケーションにて使用されるパラメータ、複数のアプリケーションプログラムを動作させるためのＯＳプログラムを記憶している。
また、記憶部１００は、第１検出部７１Ａにて検出される光量（回転ダイヤル部４０の回転状態）と複数のアプリケーションとの対応関係を示すテーブル１１０を記憶している（図９参照）。つまり、テーブル１１０は、複数のアプリケーションそれぞれに、所定範囲の光量を対応づけている。
ここで、テーブル１１０では、一つのアプリケーションに対応づけられた範囲の光量と、他のアプリケーションに対応づけられた範囲の光量との間に、複数のアプリケーションのいずれにも対応づけられない光量の範囲を設けてもよい。これにより、後述の選択部７２におけるアプリケーション選択の精度を向上できる。
【００４１】
なお、複数のアプリケーションプログラムには、基準アプリケーション、ミュージック・プレーヤー、カメラ、メール等の携帯電話機１が有するアプリケーションごとのアプリケーションプログラムが含まれる。
【００４２】
図８に示すように、処理部７０は、検出部７１と、選択部７２と、制御部７３と、を備える。
検出部７１は、第１受光部５１Ａが受光した光量を検出する第１検出部７１Ａを備える。
選択部７２は、記憶部１００のテーブル１１０を参照して、第１検出部７１Ａにより検出される光量に対応するアプリケーションを選択する。
制御部７３は、選択部７２が選択したアプリケーションを実行する。
【００４３】
次に、上述の携帯電話機１の動作について図６及び図９を参照しながら説明する。
図９は、複数の光透過部４１１と選択されるアプリケーションとの関係を示す図である。
先ず、選択位置Ｓに丸印のアイコンＩａが位置している場合には、発光部４２と第１受光部５１Ａとの間には、第１光透過部４１１ａが配置される。この状態では、第１受光部５１Ａに到達する光量、即ち第１検出部７１Ａが検出する光量は最も少なくなる。すると、選択部７２は、テーブル１１０を参照して、複数のアプリケーションの中から電話機能を使用可能なアプリケーションを選択し、制御部７３は、この電話機能を使用可能なアプリケーションを動作させる。
【００４４】
次に、第１回転ダイヤル部４０Ａを所定角度（ここでは、ａ方向に４５度）回転させると、選択位置Ｓには、手帳のアイコンＩｈが位置し、発光部４２と第１受光部５１Ａとの間には、第８光透過部４１１ｈが配置される。この状態では、第１受光部５１Ａに到達する光量、即ち第１検出部７１Ａが検出する光量は最も多くなる。すると、選択部７２は、テーブル１１０を参照して、複数のアプリケーションの中からアドレス帳の機能を動作させるアプリケーションを選択し、制御部７３は、このアドレス帳の機能を動作させるアプリケーションを起動する。
【００４５】
次に、回転ダイヤル部４０を更にａ方向に４５度回転させると、選択位置Ｓには、ペンのアイコンＩｇが位置し、発光部４２と第１受光部５１Ａとの間には、第７光透過部４１１ｇが配置される。この状態では、第１受光部５１Ａに到達する光量、即ち第１検出部７１Ａが検出する光量は、発光部４２と第１受光部５１Ａとの間に第８光透過部４１１ｈが配置される場合に比して所定量少なくなる。すると、選択部７２は、テーブル１１０を参照して、複数のアプリケーションの中からメモ帳の機能を動作させるアプリケーションを選択し、制御部７３は、このメモ帳の機能を動作させるアプリケーションを起動する。
【００４６】
このように、本実施形態の携帯電話機１によれば、第１回転ダイヤル部４０Ａの回転に応じて、発光部４２と第１受光部５１Ａとの間に配置される光透過部４１１が変化することで、第１受光部５１Ａに到達する光量（第１検出部７１Ａが検出する光量）が変化する。
そして、選択部７２は、記憶部１００のテーブル１１０を参照して、第１検出部７１Ａにより検出される光量の変化に応じて実行するアプリケーションを選択し、制御部７３は、この選択したアプリケーションを実行する。
【００４７】
以上の携帯電話機１によれば、以下のような効果を奏する。
第１回転ダイヤル部４０Ａに複数の光透過部４１１を設けると共に、第１回転ダイヤル部４０Ａの内部に発光部４２を設け、更に、光透過部４１１を透過した光を受光する第１受光部５１Ａと、第１受光部５１Ａが受光した光量に応じて複数のアプリケーションから実行するアプリケーションを選択する選択部７２と、選択部７２により選択したアプリケーションを実行する制御部７３と、を設けた。これにより、第１回転ダイヤル部４０Ａの回転状態を、光透過部４１１を透過して第１受光部５１Ａに受光される光量の変化により検出できる。よって、第１回転ダイヤル部４０Ａの経年劣化が生じにくい。また、第１回転ダイヤル部４０Ａの設計の自由度を高くできる。
【００４８】
また、第１回転ダイヤル部４０Ａを回転させることで所定のアプリケーションを起動させる構成とした。よって、第１回転ダイヤル部で所定の機能を選択した後に決定キーを押下するといった動作を経ることなく、一回の動作で所定の機能の実現ができる。
【００４９】
また、第１回転ダイヤル部本体４１Ａに、発光部４２からの光を利用して複数のアイコンＩを表示する表示部４１２を設けた。これにより、発光部４２から出力される光を有効に活用して、表示部４１２の表示効果を向上できると共に、携帯電話機１の装飾性を向上できる。
【００５０】
また、第１回転ダイヤル部４０Ａの軸を、連結部４に配置されるヒンジ機構４Ａの軸と同軸に設定した。これにより、ヒンジ機構４Ａの軸を利用して回転ダイヤル部４０を取り付けられるので、部品の点数を削減でき、携帯電話機１の製造コストを低減できる。
【００５１】
また、窓部１９Ａの面積を第１受光部５１Ａの面積よりも小さく構成した。これにより、第１受光部５１Ａに到達する光量のばらつきを抑制でき、第１受光部５１Ａによる受光の精度が向上し、アプリケーションの誤動作を低減できる。
【００５２】
また、複数の光透過部４１１の光透過率を、それぞれ段階的に異ならせた。これにより、第１受光部５１Ａが受光する光量（第１検出部７１Ａが検出する光量）が段階的に変化する。よって、選択部７２によるアプリケーションの選択の精度が向上し、アプリケーションの誤作動を低減できる。
【００５３】
次に、本発明の第２実施形態について、図１０を参照しながら説明する。
図１０は、本発明の第２実施形態に係る携帯電話機１の図１におけるＩＩ−ＩＩ線断面図である。
尚、第２実施形態以降の説明にあたっては、第１実施形態と同一の構成要件については同一符号を付し、その説明を省略もしくは簡略化する。
【００５４】
第２実施形態では、第１回転ダイヤル部本体４１Ａの側面の構成が第１実施形態と異なる。
具体的には、図１０に示すように、第１回転ダイヤル部本体４１Ａの側面の厚さは、連続的に変化している。従って、光透過率は、第１回転ダイヤル部４０Ａの回転に伴い連続的に変化し、受光部５１が受光する光量も第１回転ダイヤル部４０Ａの回転に伴い、連続的に変化する。
第２実施形態の携帯電話機１によれば、第１実施形態と同様の効果を奏する。
【００５５】
次に、本発明の第３実施形態について、図１１及び図１２を参照しながら説明する。
図１１は、本発明の第３実施形態に係る携帯電話機１の開状態を示す外観図である。図１２は、図１１のＩＩＩ−ＩＩＩ線断面図である。
第３実施形態の携帯電話機１は、主として、第２回転ダイヤル部４０Ｂ及び第２受光部５１Ｂを備える点で第２実施形態と異なる。
【００５６】
第３実施形態の携帯電話機１は、第１回転ダイヤル部４０Ａと第２回転ダイヤル部４０Ｂとを有する回転ダイヤル部４０と、発光部４２と、第１受光部５１Ａと、第２受光部５１Ｂと、検出部７１と、を備える。
【００５７】
第１回転ダイヤル部４０Ａの構成は、第２実施形態と同様である。
第２回転ダイヤル部４０Ｂは、携帯電話機１の幅方向Ｘにおける第１回転ダイヤル部４０Ａの内側に連設されており、第１回転ダイヤル部４０Ａの回転に伴い回転する。この第２回転ダイヤル部４０Ｂは、略円筒形状を有する第２回転ダイヤル部本体４１Ｂを有して構成されており、この第２回転ダイヤル部本体４１Ｂには、回転方向の全周に亘って略均一の光透過率を有する光透過領域４４が設けられている。
【００５８】
第２回転ダイヤル部本体４１Ｂは、第１回転ダイヤル部本体４１Ａを構成する部材と同じ光を透過可能な部材により構成されており、この第２回転ダイヤル部本体４１Ｂの内部は空洞となっている。そして、第２回転ダイヤル部本体４１Ｂの側面部の厚さは、回転方向に沿って略均一となっている。これにより、回転方向の全周に亘って略均一の光透過率を有する光透過領域４４が形成されている。
【００５９】
第３実施形態では、発光部４２は、連結部４の内部に配置されており、この発光部４２から第２回転ダイヤル部４０Ｂ及び第１回転ダイヤル部４０Ａの内部に光が照射される。
【００６０】
第１受光部５１Ａの構成は、第１実施形態及び第２実施形態と同様である。
第２受光部５１Ｂは、発光部４２から照射され光透過領域４４を透過した光を受光する。
第２受光部５１Ｂは、回路基板５２上に配置された後述の第２検出部７１Ｂに設けられている。また、操作部側筐体２には、発光部４２から照射され光透過領域４４を透過した光を透過させる窓部１９Ｂが設けられている。
従って、発光部４２Ａから出力された光は、光透過領域４４及び窓部１９Ｂを透過して第２受光部５１Ｂに到達すると共に、複数の光透過部４１１のうちのいずれかの光透過部４１１及び窓部１９Ａを透過して第１受光部５１Ａに到達する。
【００６１】
次に、第３実施形態の携帯電話機１における処理部７０の構成について、図１３を参照しながら説明する。
第３実施形態の携帯電話機１における処理部７０は、主として、調整部７４を備える点で第１実施形態及び第２実施形態と異なる。
【００６２】
処理部７０は、検出部７１と、選択部７２と、制御部７３と、調整部７４と、を備える。
検出部７１は、第１受光部５１Ａが受光した光量を検出する第１検出部７１Ａと、第２受光部５１Ｂが受光した光量を検出する第２検出部７１Ｂと、第１検出部７１Ａが検出した光量と第２検出部７１Ｂが検出した光量との差である光量差を検出する第３検出部７１Ｃを含んで構成される。
【００６３】
選択部７２は、記憶部１００のテーブル１１０を参照して、第３検出部７１Ｃにより検出される光量差に対応するアプリケーションを選択する。
制御部７３は、選択部７２が選択したアプリケーションを実行する。
調整部７４は、後述の最大光量差と最小光量差とに基づいて複数のアプリケーションそれぞれに対応する光量差の値を調整し、記憶部１００のテーブル１１０を更新する。
【００６４】
ここで、回転ダイヤル部４０を回転させた場合における第１受光部５１Ａが受光する光量及び第２受光部５１Ｂが受光する光量の変化について説明する。
図１４は、回転ダイヤル部４０の回転角度と、第１受光部５１Ａ及び第２受光部５１Ｂが受光する光量（第１検出部７１Ａ及び第２検出部７１Ｂが検出する光量）との関係を示す図であり、図１４（ａ）は、携帯電話機１の初期状態を示し、図１４（ｂ）は、所定期間経過後の状態を示す。
【００６５】
先ず、第１回転ダイヤル部４０Ａが回転した場合は、上述したように、第１回転ダイヤル部４０Ａの回転に伴い、第１受光部５１Ａが受光する光量は変化する。
例えば、図１０に示すように、発光部４２と第１受光部５１Ａとの間に第１光透過部４１１ａが位置する状態から、回転ダイヤル部４０を図１０中ｂ方向に回転させた場合、第１受光部５１Ａが受光する光量（第１検出部７１Ａが検出する光量）は、図１４（ａ）に示すように、徐々に増加する。
一方、第２回転ダイヤル部４０Ｂに設けられた光透過領域４４は、回転方向に略均一の光透過率を有しているので、第２回転ダイヤル部４０Ｂが回転しても、第２受光部５１Ｂが受光する光量（第２検出部７１Ｂが検出する光量）は変化しない。
尚、第２回転ダイヤル部４０Ｂの光透過率は、略均一（一定）なので、この第２回転ダイヤル部４０Ｂに代えて、回転しない非回転光透過部を設けてもよい。
【００６６】
次に、所定期間経過後の携帯電話機１における回転ダイヤル部を回転させた場合の第１受光部５１Ａが受光する光量及び第２受光部５１Ｂが受光する光量の変化について説明する（図１４（ｂ）参照）。
携帯電話機１を所定期間使用していくと、この携帯電話機１には、例えば、以下のような変化が生じる。
【００６７】
第１に、例えば、発光ダイオードといった発光部４２を構成する光源には寿命があり、この光源の輝度は、時間の経過と共に徐々に低下していく。
第２に、回転ダイヤル部４０を構成する部材も経年劣化により光透過率が低下していく。例えば、回転ダイヤル部４０を構成する部材として、白色の部材を用いた場合には、時間の経過と共に黄色に変色して光透過率が大きく低下する場合がある。
第３に、第１受光部５１Ａ及び第２受光部５１Ｂの感度も時間の経過と共に、徐々に低下していく。
【００６８】
そのため、図１４（ａ）及び図１４（ｂ）に示すように、所定期間経過後には、初期状態に比して、第１受光部５１Ａが受光する光量及び第２受光部５１Ｂが受光する光量は、共に低下していく。
ここで、第１回転ダイヤル部４０Ａと第２回転ダイヤル部４０ｂとは同じ部材によって構成されている。また、第１受光部５１Ａ及び第２受光部５１Ｂは、共に単一の発光部４２からの光を受光している。そのため、経年変化によって生じる第１受光部５１Ａが受光する光量（第１検出部７１Ａが検出する光量）の低下量Ｌａと、第２受光部５１Ｂが受光する光量（第２検出部７１Ｂが検出する光量）の低下量Ｌｂとは、略同一となる。
つまり、第１受光部５１Ａが受光する光量及び第２受光部５１Ｂが受光する光量は、それぞれ、時間の経過と共に低下していくが、第１受光部５１Ａが受光する光量と第２受光部５１Ｂが受光する光量との差である光量差Ｌｃは、時間が経過しても変化しない。
【００６９】
そこで、第３実施形態では、記憶部１００は、第１検出部７１Ａにて検出される光量（回転ダイヤル部４０の回転状態）と第２検出部７１Ｂにて検出される光量との差である光量差Ｌｃと、複数のアプリケーションとの対応関係と、を示すテーブル１１０を記憶している。つまり、テーブル１１０は、複数のアプリケーションそれぞれに、所定範囲の光量差を対応づけている。
【００７０】
具体的には、第３検出部７１ｃにて検出される光量差Ｌｃは、信号増幅装置（図示せず）によって所定の比率で増幅される。そして、テーブル１１０には、複数のアプリケーションそれぞれに、所定範囲の増幅された光量差Ｌｃの値が対応づけられている。
【００７１】
複数のアプリケーションそれぞれに対応付けられる光量差Ｌｃの値は、調整部７４によって調整される。調整部７４は、第１受光部５１Ａが受光した光量のうちの最大の値である最大光量と第２受光部５１Ｂが受光した光量との光量差である最大光量差Ｌｃｍａｘ（図１４（ａ）参照）、及び第１受光部が受光した光量のうちの最小の値である最小光量と、２受光部が受光した光量との光量差である最小光量差Ｌｃｍｉｎ（図１４（ａ）参照）に基づいて複数のアプリケーションそれぞれに対応する光量差を調整する。
具体的には、調整部７４は、回転ダイヤル部４０を一回転させたときに第３検出部７１Ｃが検出する最大光量差Ｌｃｍａｘ及び最小光量差Ｌｃｍｉｎの値に基づいて複数のアプリケーションそれぞれに対応する光量差の値を決定し、記憶部１００のテーブル１１０に記憶させる。
例えば、図９に示すように、携帯電話機１が８つのアプリケーションを備えている場合には、調整部７４は、最大光量差Ｌｃｍａｘから最小光量差Ｌｃｍｉｎの範囲に含まれる所定の値を８つのアプリケーションそれぞれに割り当てる。
【００７２】
第３実施形態の携帯電話機１によれば、第２実施形態と同様の効果を奏する他、以下のような効果を奏する。
【００７３】
略均一の光透過率を有する光透過領域４４を備えた第２回転ダイヤル部４０Ｂと、この光透過領域４４を透過した光を受光する第２受光部５１Ｂと、を設けた。これにより、発光部４２の経年劣化により、照射される光量（輝度）が低下しても、第１検出部７１Ａが検出する光量及び第２検出部７１Ｂが検出する光量が共に低下するので、光量差Ｌｃは変化しない。よって、携帯電話機１を長期間使用して発光部４２の輝度が低下しても、選択部７２によるアプリケーションの誤選択が生じにくい。
【００７４】
また、第１回転ダイヤル部４０Ａ及び第２回転ダイヤル部４０Ｂを同じ部材により構成した。これにより、回転ダイヤル部４０の光透過率が経年劣化によって低下した場合にも、第１回転ダイヤル部４０Ａの複数の光透過部４１１の光透過率と、第２回転ダイヤル部４０Ｂの光透過領域４４の光透過率とは、同じように低下するので、光量差Ｌｃは変化しない。よって、携帯電話機１を長期間使用して回転ダイヤル部４０を構成する部材が劣化しても、選択部７２によるアプリケーションの誤選択が生じにくい。
【００７５】
また、第１受光部５１Ａ及び第２受光部５１Ｂは、同じように劣化する。よって、第１受光部５１Ａ及び第２受光部５１Ｂが経年劣化しても、光量差Ｌｃは変化しない。よって、携帯電話機１を長期間使用して第１受光部５１Ａ及び第２受光部５１Ｂが劣化しても、選択部７２によるアプリケーションの誤選択が生じにくい。
【００７６】
また、最大光量差Ｌｃｍａｘと、最小光量差Ｌｃｍｉｎとに基づいて複数のアプリケーションそれぞれに対応する光量差Ｌｃを調整する調整部７４を設けた。これにより、発光部４２や回転ダイヤル部４０が経年劣化をおこした場合でも、複数のアプリケーションそれぞれに対応付ける光量差Ｌｃの範囲を定期的に設定しなおして、記憶部１００のテーブル１１０を更新できる。よって、携帯電話機１の超寿命化を図れる。
【００７７】
以上、本発明の各実施形態について説明したが、本発明は上述した実施形態に制限されることなく種々の形態で実施することができる。
例えば、第１実施形態及び第２実施形態では、回転ダイヤル部本体４１の側面の厚さを変化させることで、複数の光透過部４１１それぞれの光透過率を異ならせていたがこれに限らない。即ち、回転ダイヤル部本体４１を、異なる光透過率を有する複数の素材を用いて形成することで異なる光透過率を有する複数の光透過部を形成してもよい。
また、複数の光透過部にそれぞれ異なる波長の光を透過させるフィルターを配置し、受光部が受光した光の波長に応じて、所定のアプリケーションを選択するように構成してもよい。
【００７８】
また、第１実施形態及び第２実施形態では、発光部４２から全方向に向かって光を出力していたがこれに限らない。即ち、発光部から受光部側及び選択位置側のみに光を出力させることで、実行されるアプリケーションに対応したアイコンのみを光らせることができ、表示効果をより向上させられる。
【００７９】
また、第３実施形態では、発光部４２を連結部４の内部に設けたが、これに限らない。即ち、発光部４２を第１回転ダイヤル部４０Ａ及び第２回転ダイヤル部４０Ｂの内部に配置してもよい。また、発光部４２を２つ以上配置してもよい。
また、第３実施形態では、携帯電話機１の幅方向Ｘにおける第１回転ダイヤル部４０Ａの内側に第２回転ダイヤル部４０Ｂを連設したが、これに限らない。即ち、第２回転ダイヤル部４０Ｂを、第１回転ダイヤル部４０Ａの幅方向Ｘにおける外側に連設してもよい。
【００８０】
また、第１実施形態〜第３実施形態では、回転ダイヤル部４０の内部を空洞としたがこれに限らない。即ち、回転ダイヤル部４０を、内部に空洞を有さない光透過性を有する部材により構成してもよい。
【００８１】
また、第１実施形態〜第３実施形態においては、携帯電子機器として携帯電話機１について説明しているが、これに制限されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００８２】
また、第１実施形態〜第３実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００８３】
また、第１実施形態〜第３実施形態において、回転ダイヤル部４０は、ヒンジ機構４Ａにおける開閉軸と略同軸の回転軸Ｚを中心に回転可能に構成されるが、これに限定されず、ユーザの操作によって回転自在な構成であればよい。例えば、回転ダイヤル部４０は、回転軸Ｚと直交する所定の回転軸を中心に回転可能に構成してもよい。
【００８４】
また、第１実施形態〜第３実施形態において、回転ダイヤル部４０により選択可能な機能は上述の通りであるが、これに限定されず、例えば、ユーザ自身が頻繁に使用するメニューを登録可能な構成であってもよいし、また、所望のＷｅｂアドレスを登録しておき、当該Ｗｅｂアドレスを回転ダイヤル部４０により選択することによって、Ｗｅｂブラウザが起動して当該ＷｅｂアドレスのＷｅｂページを閲覧できるような構成であってもよい。また、メニューの数も上述した数（７つ）に限定されるものではない。
【図面の簡単な説明】
【００８５】
【図１】本発明の携帯電子機器の好ましい一実施形態である携帯電話機の開状態を示す外観図である。
【図２】閉状態の携帯電話機を表示部側筐体側から見た外観図である。
【図３】閉状態の携帯電話機を操作部側筐体側から見た外観図である。
【図４】回転ダイヤル部付近を示す拡大図である。
【図５】図１のＩＩ−ＩＩ線断面を模式的に示した図である。
【図６】回転ダイヤル部の機能を示す図である。
【図７】携帯電話機の機能を示す機能ブロック図である。
【図８】処理部の機能ブロック図である。
【図９】複数の光透過部と選択されるアプリケーションとの関係を示す図である。
【図１０】本発明の第２実施形態に係る携帯電話機の図１におけるＩＩ−ＩＩ線断面図である。
【図１１】本発明の携帯電子機器の第３実施形態における開状態を示す外観図である。
【図１２】図１１のＩＩＩ−ＩＩＩ線断面図である。
【図１３】第３実施形態における処理部の機能ブロック図である。
【図１４】回転ダイヤル部の回転角度と、第１受光部及び第２受光部が受光する光量との関係を示す図であり、図１４（ａ）は、携帯電話機の初期状態を示し、図１４（ｂ）は、所定期間経過後の状態を示す。
【符号の説明】
【００８６】
１  携帯電話機（携帯電子機器）
２  第１筐体（操作部側筐体）
３  第２筐体（表示部側筐体）
４  連結部
４０  回転ダイヤル部
４０Ａ  第１回転ダイヤル部
４０Ｂ  第２回転ダイヤル部
４２  発光部
５１Ａ  第１受光部
５１Ｂ  第２受光部
７１  検出部
７２  選択部
７３  制御部
４１１  光透過部
４１２  表示部
【図１】
2010035121.tif 000003
【図２】
2010035121.tif 000004
【図３】
2010035121.tif 000005
【図４】
2010035121.tif 000006
【図５】
2010035121.tif 000007
【図６】
2010035121.tif 000008
【図７】
2010035121.tif 000009
【図８】
2010035121.tif 000010
【図９】
2010035121.tif 000011
【図１０】
2010035121.tif 000012
【図１１】
2010035121.tif 000013
【図１２】
2010035121.tif 000014
【図１３】
2010035121.tif 000015
【図１４】
2010035121.tif 000016